(57)【特許請求の範囲】
【請求項１】
第１システムから第２システムに対して、異システム間ハンドオーバを行うように構成されている移動端末であって、
前記第１システム用サービスエリアから前記第２システム用サービスエリアに移動したことが検知された場合に、前記第２システム用レイヤ２アドレスを用いて、前記第２システム用レイヤ２リンクを確立するように構成されているレイヤ２リンク確立部と、
前記第２システム用レイヤ２リンクが確立された場合に、前記移動端末に割り当てられているホームアドレスが関連付けられるレイヤ２アドレスを、前記第１システム用レイヤ２アドレスから前記第２システム用レイヤ２アドレスに切り替えるように構成されているレイヤ２切替部とを具備することを特徴とする移動端末。
【請求項２】
前記第１システム用レイヤ２アドレスは、前記第１システム用物理インターフェイスに関連付けられており、
前記第２システム用レイヤ２アドレスは、前記第２システム用物理インターフェイスに関連付けられていることを特徴とする請求項１に記載の移動端末。
【請求項３】
移動端末が、第１システムから第２システムに対して、異システム間ハンドオーバを行うハンドオーバ方法であって、
前記移動端末が、前記第１システム用サービスエリアから前記第２システム用サービスエリアに移動したことを検知する工程と、
前記移動端末が、前記第２システム用レイヤ２アドレスを用いて、前記第２システム用アクセスシステムとの間で、前記第２システム用レイヤ２リンクを確立する工程と、
前記移動端末が、該移動端末に割り当てられているホームアドレスが関連付けられるレイヤ２アドレスを、前記第１システム用レイヤ２アドレスから前記第２システム用レイヤ２アドレスに切り替える工程と、
前記移動端末が、前記第２システム用レイヤ２リンクを介して、前記第２システムにおいて通信を行う工程とを有することを特徴とするハンドオーバ方法。
【発明の詳細な説明】
【技術分野】
【０００１】
本発明は、第１システムから第２システムに対して異システム間ハンドオーバを行う移動端末及びハンドオーバ方法に関する。
【背景技術】
【０００２】
従来、ＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎｓ-２０００）用システムやＷＬＡＮ（Ｗｉｒｅｌｅｓｓ  ＬＡＮ）用システム等の複数のシステムに接続可能な移動端末（マルチアクセス端末）が知られている。
【０００３】
図５に示すように、かかる移動端末（マルチアクセス端末）１１０は、プロトコル機能として、ＡＰＬ（アプリケーション）機能１と、ＴＣＰ/ＵＤＰ機能２と、ＩＰ機能３Ａ、３Ｂと、Ｌ２（レイヤ２）機能４Ａ、４Ｂと、ＷＬＡＮ物理Ｉ/Ｆ５Ａと、ＩＭＴ-２０００物理Ｉ/Ｆ５Ｂとを具備している。
【０００４】
ＡＰＬ機能１は、移動端末１１０のホームアドレス（ＨｏＡ：Ｈｏｍｅ  Ａｄｄｒｅｓｓ）を管理するように構成されている。また、ＩＰ機能３Ａ及び３Ｂは、それぞれ別々の気付けアドレス（ＣｏＡ：Ｃａｒｅ  ｏｆ  Ａｄｄｒｅｓｓ）を管理するように構成されている。また、Ｌ２機能４Ａ及び４Ｂは、それぞれ別々のレイヤ２アドレスを管理するように構成されている。
【０００５】
また、ＷＬＡＮ物理Ｉ/Ｆ５Ａは、ＷＬＡＮシステム（第１システム）用アクセスポイント（図７に示すアクセスポイント２０）に接続可能な物理インターフェイスであり、ＩＭＴ-２０００物理Ｉ/Ｆ５Ｂは、ＩＭＴ-２０００システム（第２システム）用アクセスポイント（図７に示す基地局３０）に接続可能な物理インターフェイスである。
【０００６】
ここで、図５の例では、ＩＰ機能３Ａに割り当てられている気付けアドレスとＬ２機能４Ａに割り当てられているレイヤ２アドレスとが関連付けられており、ＩＰ機能３Ｂに割り当てられている気付けアドレスとＬ２機能４Ｂに割り当てられているレイヤ２アドレスとが関連付けられている。
【０００７】
したがって、かかる移動端末１１０では、ＷＬＡＮ物理Ｉ/Ｆ５Ａ及びＩＭＴ-２０００物理Ｉ/Ｆ５Ｂには、異なるＩＰアドレス（気付けアドレス）が割り当てられるように構成されている。
【０００８】
また、図６に示すように、かかる移動端末１１０は、移動検知部１１１と、Ｌ２リンク確立部１１２と、ＣｏＡ生成部１１３と、ＣｏＡ登録部１１７と、ＣｏＡ切替部１１８と、ＷＬＡＮ通信部１１４と、ＩＭＴ-２０００通信部１１５とを具備している。
【０００９】
ここで、図７及び図８を参照して、かかる移動端末１１０が異システム間ハンドオーバを行う動作について説明する。
【００１０】
ステップＳ２０１において、移動端末１１０のＷＬＡＮ通信部１１４が、ＷＬＡＮ物理Ｉ/Ｆ５Ａを介して、ＷＬＡＮシステムにおいて通信を行っている。
【００１１】
ここで、コアネットワーク４０内のホームエージェント（ＨＡ：Ｈｏｍｅ  Ａｇｅｎｔ）は、移動端末１１０のホームアドレス「ＨｏＡ＝＃Ａ」と当該移動端末１１０のＩＭＴ-２０００システム用気付けアドレス「ＣｏＡ＝＃Ｂ」とを関連付けて登録している。
【００１２】
そして、かかるホームエージェントは、当該ホームエージェントと移動端末１１０との間で設定されているトンネル（移動端末１１０-アクセスポイント２０-ＰＤＧ-ＨＡ）を介して、コアネットワーク４０から送信された当該移動端末１１０宛てのＩＰパケットを送信する。
【００１３】
その結果、移動端末１１０のＷＬＡＮ通信部１１４は、「ＣｏＡ＝＃Ｂ（移動端末１１０のＷＬＡＮシステム用気付けアドレス）」によってカプセル化され、宛先アドレスとして「ＨｏＡ＝＃Ａ（移動端末１０のホームアドレス）」を含むＩＰパケットを受信するように構成されている。
【００１４】
すなわち、ＣｏＡ切替部１１８は、移動端末１１０のホームアドレス「ＨｏＡ＝＃Ａ」を、移動端末１１０のＷＬＡＮシステム用気付けアドレス「ＣｏＡ＝＃Ｂ」に関連付けている。
【００１５】
ステップＳ２０２において、移動端末１１０が、ＷＬＡＮエリア５０からＩＭＴ-２０００エリアに移動すると、ステップＳ２０３において、移動端末１１０の移動検知部１１１が、基地局３０からの報知信号等から、かかる移動を検知する。
【００１６】
ステップＳ２０４において、移動端末１１０のＬ２リンク確立部１１２が、ＩＭＴ-２０００システム用アクセスポイントである基地局３０との間で、レイヤ２リンクを確立するとともに、基地局３０とコアネットワーク４０内のＳ/ＧＧＳＮ（Ｓｅｒｖｉｎｇ  ＧＰＲＳ  Ｓｕｐｐｏｒｔ  Ｎｏｄｅ/Ｇａｔｅｗａｙ  ＧＰＲＳ  Ｓｕｐｐｏｒｔ  Ｎｏｄｅ）との間で、レイヤ２リンクが確立される。
【００１７】
ステップＳ２０５において、移動端末１１０のＣｏＡ生成部１１６が、当該移動端末１１０のＩＭＴ-２０００システム用気付けアドレス「ＣｏＡ＝＃Ｃ」を生成し、ステップＳ２０６において、移動端末１１０のＣｏＡ登録部１１７が、「Ｂｉｎｄｉｎｇ  Ｕｐｄａｔｅメッセージ」を用いて、生成したＩＭＴ-２０００システム用気付けアドレス「ＣｏＡ＝＃Ｃ」を、コアネットワーク４０内のホームエージェントに送信する。
【００１８】
ステップＳ２０７において、かかるホームエージェントは、移動端末１１０のホームアドレス「ＨｏＡ＝＃Ａ」と当該移動端末１１０のＩＭＴ-２０００システム用気付けアドレス「ＣｏＡ＝＃Ｃ」とを関連付けて登録する。
【００１９】
ステップＳ２０８において、かかるホームエージェントは、かかる登録が完了したことを通知するための「ＡＣＫ信号」を、移動端末１１０に送信する。
【００２０】
ステップＳ２０９において、移動端末１１０のＣｏＡ切替部１１８が、移動端末１１０のホームアドレス「ＨｏＡ＝＃Ａ」を関連付ける気付けアドレスを、ＷＬＡＮシステム用気付けアドレス「ＣｏＡ＝＃Ｂ」からＩＭＴ-２０００用気付けアドレス「ＣｏＡ＝＃Ｃ」に切り替える。
【００２１】
すなわち、ステップＳ２０９において、上述のホームエージェントと当該移動端末１１０との間で設定されていたトンネル（移動端末１１０-アクセスポイント２０-ＰＤＧ-ＨＡ）が、別のトンネル（移動端末１１０-基地局３０-Ｓ/ＧＧＳＮ-ＨＡ）に切り替えられる。
【００２２】
ステップＳ２１０において、移動端末１１０のＩＭＴ-２０００通信部１１５が、ＩＭＴ-２０００物理Ｉ/Ｆ５Ｂを介して、ＩＭＴ-２０００システムにおける通信を開始する。
【００２３】
すなわち、かかるホームエージェントは、当該ホームエージェントと移動端末１１０との間で設定されているトンネル（移動端末１１０-基地局３０-Ｓ/ＧＧＳＮ-ＨＡ）を介して、コアネットワーク４０から送信された当該移動端末１１０宛てのＩＰパケットを送信する。
【００２４】
その結果、移動端末１１０のＩＭＴ-２０００通信部１１５は、「ＣｏＡ＝＃Ｃ（移動端末１１０のＩＭＴ-２０００システム用気付けアドレス）」によってカプセル化され、宛先アドレスとして「ＨｏＡ＝＃Ａ」を含むＩＰパケットを受信するように構成されている。
【特許文献１】特表２００２-５２５９９４号公報
【発明の開示】
【発明が解決しようとする課題】
【００２５】
しかしながら、上述のような従来の移動端末１１０は、異システム間を移動する度に、当該移動端末１１０に対する気付けアドレス（ＩＰアドレス）の再割当が必要となり、異システム間ハンドオーバにおける切替時間等の品質の劣化を引き起こしてしまうという問題点があった。
【００２６】
また、かかる移動端末１１０では、気付けアドレスによるトネリングにより、無線帯域におけるオーバヘッドが発生してしまうという問題点もあった。
【００２７】
そこで、本発明は、上述の課題に鑑みてなされたものであり、異システム間ハンドオーバ切替時間を短縮しつつ、無線帯域におけるオーバヘッドを低減させることを可能とする移動端末及びハンドオーバ方法を提供することを目的とする。
【課題を解決するための手段】
【００２８】
本発明の第１の特徴は、第１システムから第２システムに対して、異システム間ハンドオーバを行うように構成されている移動端末であって、前記第１システム用サービスエリアから前記第２システム用サービスエリアに移動したことが検知された場合に、前記第２システム用レイヤ２アドレスを用いて、前記第２システム用レイヤ２リンクを確立するように構成されているレイヤ２リンク確立部と、前記第２システム用レイヤ２リンクが確立された場合に、前記移動端末に割り当てられているホームアドレスが関連付けられるレイヤ２アドレスを、前記第１システム用レイヤ２アドレスから前記第２システム用レイヤ２アドレスに切り替えるように構成されているレイヤ２切替部とを具備することを要旨とする。
【００２９】
本発明の第１の特徴において、前記第１システム用レイヤ２アドレスは、前記第１システム用物理インターフェイスに関連付けられており、前記第２システム用レイヤ２アドレスは、前記第２システム用物理インターフェイスに関連付けられていてもよい。
【００３０】
本発明の第２の特徴は、移動端末が、第１システムから第２システムに対して、異システム間ハンドオーバを行うハンドオーバ方法であって、前記移動端末が、前記第１システム用サービスエリアから前記第２システム用サービスエリアに移動したことを検知する工程と、前記移動端末が、前記第２システム用レイヤ２アドレスを用いて、前記第２システム用アクセスシステムとの間で、前記第２システム用レイヤ２リンクを確立する工程と、前記移動端末が、該移動端末に割り当てられているホームアドレスが関連付けられるレイヤ２アドレスを、前記第１システム用レイヤ２アドレスから前記第２システム用レイヤ２アドレスに切り替える工程と、前記移動端末が、前記第２システム用レイヤ２リンクを介して、前記第２システムにおいて通信を行う工程とを有することを要旨とする。
【発明の効果】
【００３１】
以上説明したように、本発明によれば、異システム間ハンドオーバ切替時間を短縮しつつ、無線帯域におけるオーバヘッドを低減させることを可能とする移動端末及びハンドオーバ方法を提供することができる。
【発明を実施するための最良の形態】
【００３２】
（本発明の第１の実施形態に係る移動端末）
図１及び図２を参照して、本発明の第１の実施形態に係る移動端末の構成について説明する。
【００３３】
本実施形態に係る移動端末１０は、ＷＬＡＮシステムとＩＭＴ-２０００システムとの間で、異システム間ハンドオーバを行うように構成されているマルチアクセス端末である。
【００３４】
図１に示すように、かかる移動端末１０は、プロトコル機能として、ＡＰＬ（アプリケーション）機能１と、ＴＣＰ/ＵＤＰ機能２と、ＩＰ機能３と、Ｌ２（レイヤ２）機能４Ａ、４Ｂと、ＷＬＡＮ物理Ｉ/Ｆ５Ａと、ＩＭＴ-２０００物理Ｉ/Ｆ５Ｂとを具備している。
【００３５】
ＩＰ機能３は、移動端末１０のホームアドレス（ＨｏＡ）を管理するように構成されている。なお、移動端末１０では、ＩＰ機能３は、ＷＬＡＮシステム用気付けアドレス及びＩＭＴ-２０００システム用気付けアドレスのいずれも管理しないように構成されている。また、Ｌ２機能４Ａ及び４Ｂは、それぞれ別々のレイヤ２アドレスを管理するように構成されている。
【００３６】
また、ＷＬＡＮ物理Ｉ/Ｆ５Ａは、ＷＬＡＮシステム用アクセスポイント（図３に示すアクセスポイント２０）に接続可能な物理インターフェイスであり、ＩＭＴ-２０００物理Ｉ/Ｆ５Ｂは、ＩＭＴ-２０００システム用アクセスポイント（図３に示す基地局３０）に接続可能な物理インターフェイスである。
【００３７】
ここで、図１の例では、ＩＰ機能３に割り当てられているホームアドレスは、Ｌ２機能４Ａに割り当てられているレイヤ２アドレス或いはＬ２機能４Ｂに割り当てられているレイヤ２アドレスのいずれかに関連付けられている。
【００３８】
したがって、かかる移動端末１０では、ＷＬＡＮ物理Ｉ/Ｆ５Ａ及びＩＭＴ-２０００物理Ｉ/Ｆ５Ｂには、異なるレイヤ２アドレスが割り当てられるように構成されている。すなわち、ＷＬＡＮシステム用レイヤ２アドレスは、ＷＬＡＮ物理Ｉ/Ｆ５Ａに関連付けられており、ＩＭＴ-２０００システム用レイヤ２アドレスは、ＩＭＴ-２０００物理Ｉ/Ｆ５Ｂに関連付けられている。
【００３９】
また、図２に示すように、かかる移動端末１０は、移動検知部１１と、Ｌ２リンク確立部１２と、Ｌ２切替部１３と、ＷＬＡＮ通信部１４と、ＩＭＴ-２０００通信部１５とを具備している。
【００４０】
移動検知部１１は、ＷＬＡＮシステム用アクセスポイント（アクセスポイント２０）或いはＩＭＴ-２０００システム用アクセスポイント（基地局３０）からの報知信号等に基づいて、移動端末１０がＷＬＡＮエリア５０からＩＭＴ-２０００エリア６０に移動したこと、或いは、移動端末１０ＩＭＴ-２０００エリア６０からＷＬＡＮエリア５０に移動したことを検知するように構成されている。
【００４１】
Ｌ２リンク確立部１２は、移動端末１０が、ＷＬＡＮエリア５０（第１システム用サービスエリア）からＩＭＴ-２０００エリア６０（第２システム用サービスエリア）に移動したことが検知された場合に、ＩＭＴ-２０００システム用レイヤ２アドレス（第２システム用レイヤ２アドレス）を用いて、ＩＭＴ-２０００システム用レイヤ２リンク（第２システム用レイヤ２リンク）を確立するように構成されている。
【００４２】
また、Ｌ２リンク確立部１２は、移動端末１０が、ＩＭＴ-２０００エリア６０（第１システム用サービスエリア）からＷＬＡＮエリア５０（第２システム用サービスエリア）に移動したことが検知された場合に、ＷＬＡＮシステム用レイヤ２アドレス（第２システム用レイヤ２アドレス）を用いて、ＷＬＡＮシステム用レイヤ２リンク（第２システム用レイヤ２リンク）を確立するように構成されている。
【００４３】
Ｌ２切替部１３は、上述のように、Ｌ２リンク確立部１２によってＩＭＴ-２０００システム用レイヤ２リンク（第２システム用レイヤ２リンク）が確立された場合に、移動端末１０（ＩＰ機能３）に割り当てられているホームアドレスが関連付けられるレイヤ２アドレスを、ＷＬＡＮシステム用レイヤ２アドレス（第１システム用レイヤ２アドレス）からＩＭＴ-２０００システム用レイヤ２アドレス（第２システム用レイヤ２アドレス）に切り替えるように構成されている。
【００４４】
また、Ｌ２切替部１３は、上述のように、Ｌ２リンク確立部１２によってＷＬＡＮシステム用レイヤ２リンク（第２システム用レイヤ２リンク）が確立された場合に、移動端末１０（ＩＰ機能３）に割り当てられているホームアドレスが関連付けられるレイヤ２アドレスを、ＩＭＴ-２０００システム用レイヤ２アドレス（第１システム用レイヤ２アドレス）からＷＬＡＮシステム用レイヤ２アドレス（第２システム用レイヤ２アドレス）に切り替えるように構成されている。
【００４５】
すなわち、Ｌ２切替部１３は、移動端末１０内に複数設定されているレイヤ２リンクの中から、どのレイヤ２リンクに対して、ＩＰ機能３から提供されたＩＰパケットを転送するべきかについて選択するように構成されている。
【００４６】
（本発明の第１の実施形態に係る移動端末の動作）
以下、図３及び図４を参照して、かかる移動端末１０が異システム間ハンドオーバを行う動作について説明する。
【００４７】
図３及び図４に示すように、ステップＳ１０１において、移動端末１０のＷＬＡＮ通信部１４が、ＷＬＡＮ物理Ｉ/Ｆ５Ａを介して、ＷＬＡＮシステムにおいて通信を行っている。
【００４８】
ここで、コアネットワーク４０内のＩＡＳＡ（Ｉｎｔｅｒ  Ａｃｃｅｓｓ  Ｓｙｓｔｅｍ  Ａｎｃｈｏｒ）は、移動端末１０が在圏しているＰＤＧのアドレスを登録している。
【００４９】
そして、かかるＩＡＳＡは、当該ＩＡＳＡと当該ＰＤＧとの間で設定されているトンネルを介して、コアネットワーク４０から送信された当該移動端末１１０宛てのＩＰパケットを当該ＰＤＧに対して送信するように構成されている。
【００５０】
その結果、移動端末１０のＷＬＡＮ通信部１４は、宛先アドレスとして「ＨｏＡ＝＃Ａ（移動端末１０のホームアドレス）」を含むＩＰパケットを受信するように構成されている。
【００５１】
すなわち、Ｌ２切替部１３は、移動端末１０のホームアドレス「ＨｏＡ＝＃Ａ」を、移動端末１１０のＷＬＡＮシステム用レイヤ２アドレスに関連付けている。
【００５２】
ステップＳ１０２において、移動端末１０が、ＷＬＡＮエリア５０からＩＭＴ-２０００エリアに移動すると、ステップＳ１０３において、移動端末１０の移動検知部１１が、基地局３０からの報知信号等から、かかる移動を検知する。
【００５３】
ステップＳ１０４において、移動端末１１０のＬ２リンク確立部１１２が、ＩＭＴ-２０００システム用アクセスポイントである基地局３０との間で、レイヤ２リンクを確立するとともに、基地局３０とコアネットワーク４０内のＳ/ＧＧＳＮとの間、及び、ＧＧＳＮとＩＡＳＡとの間で、レイヤ２リンクが確立される。
【００５４】
すなわち、ステップＳ１０４において、基地局２０が、レイヤ２リンクが確立されたことを通知し、コアネットワーク４０内のＩＡＳＡに対して、移動端末１０が在圏しているＳ/ＧＧＳＮのアドレスを登録する。
【００５５】
その結果、ステップＳ１０１において設定されていた当該ＩＡＳＡと当該ＰＤＧとの間のトンネルが、当該ＩＡＳＡと当該Ｓ/ＧＧＳＮとの間のトンネルに切り替わる。
【００５６】
ステップＳ１０５において、移動端末１０のＬ２切替部１３が、移動端末１０のホームアドレス「ＨｏＡ＝＃Ａ」を関連付ける気付けアドレスを、ＷＬＡＮシステム用レイヤ２アドレスからＩＭＴ-２０００用レイヤ２アドレスに切り替える。
【００５７】
ステップＳ１０６において、移動端末１０のＩＭＴ-２０００通信部１５が、ＩＭＴ-２０００物理Ｉ/Ｆ５Ｂを介して、ＩＭＴ-２０００システムにおける通信を開始する。
【００５８】
すなわち、かかるＩＡＳＡは、当該ＩＡＳＡと当該Ｓ/ＧＧＳＮとの間で設定されているトンネルを介して、コアネットワーク４０から送信された当該移動端末１１０宛てのＩＰパケットを送信する。
【００５９】
その結果、移動端末１０のＩＭＴ-２０００通信部１５は、宛先アドレスとして「ＨｏＡ＝＃Ａ」を含むＩＰパケットを受信するように構成されている。
【００６０】
なお、本実施形態に係る移動端末１０は、移動端末１０のホームアドレスを含むＩＰパケットを、移動端末１０の気付けアドレスによってカプセル化して送信する「Ｍｏｂｉｌｅ  ＩＰ技術」に対応する機能を具備していないが、コアネットワーク４０は、かかる「Ｍｏｂｉｌｅ  ＩＰ技術」に対応する機能を具備するように構成されている。
【００６１】
すなわち、本実施形態では、上述のように、ＰＤＧ或いはＳ/ＧＧＳＮが、移動端末１０のＰｒｏｘｙの役割を果たし、ＩＡＳＡとの間で、Ｍｏｂｉｌｅ  ＩＰと同等の手順を行うことを想定している。
【００６２】
（本発明の第１の実施形態に係る移動端末の作用・効果）
本実施形態に係る移動端末１１０によれば、ＷＬＡＮシステムからＩＭＴ-２０００システムへの異システム間ハンドオーバを行う際に、ＩＭＴ-２０００システム用気付けアドレスの再割当が不要となるので、ハンドオーバ切替時間を短縮することができる。
【００６３】
また、本実施形態に係る移動端末１１０によれば、無線帯域において、気付けアドレスによるトネリング（カプセリング）が不要となるので、オーバーヘッド低減することができる。
【００６４】
（変更例）
上述の第１の実施形態では、第１システムを「ＷＬＡＮシステム」とし、第２システムを「ＩＭＴ-２０００システム」とし、移動端末１０が、「ＷＬＡＮシステム」から「ＩＭＴ-２０００システム」に対して、異システム間ハンドオーバを行う場合の例について説明したが、本発明は、かかる場合に限定されるものではない。
【００６５】
すなわち、本発明は、第１システムを「ＩＭＴ-２０００システム」とし、第２システムを「ＷＬＡＮシステム」とし、移動端末１０が、「ＩＭＴ-２０００システム」から「ＷＬＡＮシステム」に対して、異システム間ハンドオーバを行う場合にも、上述の第１の実施形態の場合と同様に適用可能である。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６７】
【図１】本発明の第１の実施形態に係る移動端末のプロトコルスタックを示す図である。
【図２】本発明の第１の実施形態に係る移動端末の機能ブロック図である。
【図３】本発明の第１の実施形態に係る移動通信システムの動作を示すシーケンス図である。
【図４】本発明の第１の実施形態に係る移動通信システムの動作を説明するための図である。
【図５】従来の移動端末のプロトコルスタックを示す図である。
【図６】従来の移動端末の機能ブロック図である。
【図７】従来の移動通信システムの動作を説明するための図である。
【図８】従来の移動通信システムの動作を示すシーケンス図である。
【符号の説明】
【００６８】
１０…移動端末
１…ＡＰＬ機能
２…ＴＣＰ/ＵＤＰ機能
３、３Ａ、３Ｂ…ＩＰ機能
４Ａ、４Ｂ…Ｌ２機能
５Ａ…ＷＬＡＮ物理Ｉ/Ｆ
５Ｂ…ＩＭＴ-２０００物理Ｉ/Ｆ
１１、１１１…移動検知部
１２、１１２…Ｌ２リンク確立部
１３…Ｌ２切替部
１４、１１４…ＷＬＡＮ通信部
１５、１１５…ＩＭＴ-２０００通信部
１１６…ＣｏＡ生成部
１１７…ＣｏＡ登録部
１１８…ＣｏＡ切替部
２０…アクセスポイント
３０…基地局
４０…コアネットワーク
５０…ＷＬＡＮエリア
６０…ＩＭＴ-２０００エリア
【図１】
0004833160.tif 000002
【図２】
0004833160.tif 000003
【図３】
0004833160.tif 000004
【図４】
0004833160.tif 000005
【図５】
0004833160.tif 000006
【図６】
0004833160.tif 000007
【図７】
0004833160.tif 000008
【図８】
0004833160.tif 000009